(57)【特許請求の範囲】
【請求項１】
（ａ）  本体毛布（１１）の上縁部に肩当て毛布（１２）を縫合し、肩当て毛布（１２）の端縁（１３）から本体毛布（１１）に向けて縦長に切り込み（１４）を入れて首口（１５）を形成して成り、その首口（１５）において左肩当て（１６ａ）の内側縁（１７ａ）と右肩当て（１６ｂ）の内側縁（１７ｂ）が向かい合っている首口付き毛布であり、
（ｂ）  本体毛布（１１）が、片面パイル経編地の非パイル面に起毛処理を施してパイル面のパイル繊維の一部を掻き出した両面パイル布帛であり、
（ｃ）  肩当て毛布（１２）が、片面パイル経編地に成る片面パイル布帛（１９）、又は、片面パイル経編地の非パイル面に起毛処理を施してパイル面のパイル繊維の一部を掻き出した両面パイル布帛（１９）に折り目（２６）を付けて上縁側（２０）の表パイル布帛（２２）と下縁側（２１）の裏パイル布帛（２３）とに区分し、その折り目（２６）を境に二つ折りにして上縁（２０）と下縁（２１）を重ね合わせ、その重なり合う表パイル布帛（２２）と裏パイル布帛（２３）との間に空隙層（２４）を形成し、表裏がパイル層（２５）に覆われた二重両面パイル構造を成し、
（ｄ）  その上縁（２０）と下縁（２１）が重なり合った肩当て毛布（１２）の重なり縁（２７）が、本体毛布（１１）の上縁に縫合されている首口付き毛布。
【請求項２】
（ｅ）  肩当て毛布（１２）の上縁（２０）と下縁（２１）が重なり合った重なり縁（２７）に向かい合っており、折り目（２６）に沿って構成された端縁（１３）の外面が、二つ折りになって重なり合う表パイル布帛（２２）の外面から裏パイル布帛（２３）の外面へと連続したパイル層（２５）に覆われており、
（ｆ）  首口（１５）において左右向き合う左肩当ての内側縁（１７ａ）と右肩当ての内側縁（１７ｂ）が、それぞれ表パイル布帛（２２）のパイル層（２５）と裏パイル布帛（２３）のパイル層（２５）に覆われている前掲請求項１に記載の首口付き毛布。
【請求項３】
（ｇ）  首口（１５）において左右向き合う肩当ての内側縁（１７ａ・１７ｂ）と外側縁（１８ａ・１８ｂ）において、二つ折りにされて重なり合う表パイル布帛（２２）と裏パイル布帛（２３）が、その表パイル布帛（２２）と裏パイル布帛（２３）に挟まれた空隙層（２４）に向けて開かれた挿通口（２８）を形成している前掲請求項１と２の何れかに記載の首口付き毛布。
【請求項４】
（ｈ）  首口（１５）において左右向き合う肩当ての内側縁（１７ａ・１７ｂ）と外側縁（１８ａ・１８ｂ）の何れか一方の側縁（１７ａ・１７ｂ・１８ａ・１８ｂ）において、二つ折りにされて重なり合う表パイル布帛（２２）と裏パイル布帛（２３）がミシン縫目（３０・３１）によって縫合されており、
その内側縁（１７ａ・１７ｂ）と外側縁（１８ａ・１８ｂ）の何れか他方の側縁（１８ａ・１８ｂ・１７ａ・１７ｂ）において、二つ折りにされて重なり合う表パイル布帛（２２）と裏パイル布帛（２３）が、その表パイル布帛（２２）と裏パイル布帛（２３）に挟まれた空隙層（２４）に向けて開かれた空洞（２９）を形成している前掲請求項１と２の何れかに記載の首口付き毛布。
【請求項５】
（ｉ）  首口（１５）において左右向き合う肩当ての内側縁（１７ａ・１７ｂ）と外側縁（１８ａ・１８ｂ）において、二つ折りにされて重なり合う表パイル布帛（２２）と裏パイル布帛（２３）がミシン縫目（３０・３１）によって縫合されており、
重なり合う表パイル布帛（２２）と裏パイル布帛（２３）の間の空隙層（２４）が、内側縁に沿ったミシン縫目（３０）と、外側縁に沿ったミシン縫目（３１）と、表パイル布帛と裏パイル布帛の境目である折り目（２６）と、本体毛布と肩当て毛布を縫合している重なり縁（２７）に沿ったミシン縫目とによって四方から囲まれている前掲請求項１と２の何れかに記載の首口付き毛布。
【請求項６】
（ｊ）  二つ折りにされて重なり合う表パイル布帛と裏パイル布帛との重なり縁（２７）において、左右向き合う左肩当て（１６ａ）と右肩当て（１６ｂ）が連続した継ぎ目（３２）が形成されており、
（ｋ）  その左肩当て（１６ａ）と右肩当て（１６ｂ）が連続している継ぎ目（３２）における首口（１５）の幅（Ｆ）が、その継ぎ目（３２）から左右の肩当ての端縁（１３・１３）に到る間における首口（１５）の幅（Ｇ）より広くなっている前掲請求項１と２と３と４と５の何れかに記載の首口付き毛布。
【請求項７】
（ｊ）  二つ折りにされて重なり合う表パイル布帛と裏パイル布帛との重なり縁（２７）において、左右向き合う左肩当て（１６ａ）と右肩当て（１６ｂ）が連続した継ぎ目（３２）が形成されており、
（ｌ）  肩当て毛布の左肩当て（１６ａ）と右肩当て（１６ｂ）との間の継ぎ目（３２）が幅寄せされており、
本体毛布（１１）との縫合後における継ぎ目（３２）の幅が、縫合前における継ぎ目（３２）の幅（Ｆ）よりも縮小しており、
幅寄せによって継ぎ目（３２）に皺襞（３３）が形成されている前掲請求項１と２と３と４と５と６の何れかに記載の首口付き毛布。
【請求項８】
（ｍ）  首口（１５）において、二つ折りにされて重なり合う表パイル布帛（２２）と裏パイル布帛（２３）の間に、パイル布帛に成る当て布（３４）が挟み込まれており、
重なり合う表パイル布帛（２２）と裏パイル布帛（２３）が、その当て布（３４）を介して首口（１５）において縫合されており、
（ｎ）  首口（１５）において左右向き合う左肩当ての内側縁（１７ａ）の外面と、右肩当ての内側縁（１７ｂ）の外面が、その当て布（３４）のパイル層（３５）によって形成されている前掲請求項４と５と６と７の何れかに記載の首口付き毛布。
【発明の詳細な説明】
【技術分野】
【０００１】
本発明は、毛布の上縁の中央部に縦長の切り込みを入れて首口を形成し、その首口において左肩当ての内側縁と右肩当ての内側縁を向かい合わせにした首口付き毛布に関するものである。
【背景技術】
【０００２】
毛布の上縁の中央部に縦長の切り込みを入れたり、上縁の中央部をＵ字状に切り欠いて首口を設けた首口付き毛布、或いは、首口を設けた肩当て毛布を本体毛布の上縁に縫合し、或いは、係脱自在に取り付けた首口付き毛布等、首口付き毛布に関する特許・実用新案登録出願は余りにも多い（例えば、特許文献１、２、３、４、５、６、７、８、９、１０、１１、１２参照）。そのように特許・実用新案登録出願件数が多いものの、首口付き毛布は店頭で見掛けられず、それが市場において普及しているとは思われない。
その首口付き毛布が店頭で見掛けられない理由は、毛布に首口を付けて襟首での隙間をなくすことによって保温効果を高めたいとの要望はあるものの、その要望を満たす首口付き毛布の商品化、即ち、商品としての体裁を備えた首口付き毛布の開発が極めて困難なこと、又、単に毛布の上縁の中央部に縦長の切り込みを入れた程度の首口によっては格別な保温効果が得られないことによるものと思われ、又、そのように店頭で見掛けられないが故に、首口付き毛布に関する出願件数が多いのであろうと思われる。
【０００３】
首口による保温効果は確かに認められるが、高い保温効果が求められるのは強い寒波に襲われたときであり、その場合に首口付き毛布だけが使用されることはなく、上掛け布団と重ねて使用される。その場合、肢体は上掛け布団と毛布に包まれて温められるが、襟脚と肩は毛布に付設された一枚の肩当てだけで包まれることになる。しかし、極寒の折には一枚の肩当てだけでは十分ではなく、上掛け布団と毛布とで重ねて包まれる肢体部分との保温力の差によって襟脚と肩に強い寒気が感じられることになる。
この点を考慮されたものと思われるが、上縁の中央部を縦長に切り込んで首口を形成した首口付き毛布に、それと同様に首口を設けた首口付き肩当て毛布を重ね、肩当てを二重にした二重肩当て首口付き毛布が提案されている（例えば、特許文献１３参照）。
【０００４】
【特許文献１】特開平０１−２６５９１４号公報
【特許文献２】特開２０００−２２９０２３号公報
【特許文献３】特開２００１−０１７２９４号公報
【特許文献４】特開２００１−２０４６０８号公報
【特許文献５】特開２００２−０００４２０号公報
【特許文献６】特開２００２−２２３９１５号公報
【特許文献７】特開２００３−２３５７０６号公報
【特許文献８】実開昭６１−１２６８６３号公報
【特許文献９】実開昭６３−１５４６２１号公報
【特許文献１０】実用新案登録第２０２７３８２号公報
【特許文献１１】実用新案登録第３０６０３６３号公報
【特許文献１２】実用新案登録第３０９６０７２号公報
【特許文献１３】実開昭６３−１８９０５６号公報
【発明の開示】
【発明が解決しようとする課題】
【０００５】
毛布の上縁の中央部に縦長の切り込みを入れる程度のことは誰にでも出来、又、従来首口付き毛布が普及していないこともあってか、上記特許文献１〜１３に記載の首口付き毛布は、外観から余りにも素人臭く、上縁の中央部が引き裂かれた傷物、或いは、損傷した古物とのイメージを与え、寝装品としての意匠性や感触の良さに対する配慮を欠き、商品として市場に受け入れられるとは認め難い。
特に、肩当てを二重にした二重肩当て首口付き毛布（特許文献１３）では、その二重になった二枚の肩当てが端縁で分かれているので、雑然としたイメージを与え、商品化し難く、又、就眠中に二枚の肩当てが二重に重なった状態を維持し難く、その間の空隙層の暖気が逃げ易く、保温効果は然程期待されない。
【０００６】
そこで本発明は、首口付き毛布の保温効果を高めると共に、風合い・触感の点でも肌身に馴染み着用し易く、デザイン的にも商品としての体裁を備え、市場において需要に応えることの出来る首口付き毛布を提供することを目的とする。
【課題を解決するための手段】
【０００７】
本発明に係る首口付き毛布は、（ａ）  本体毛布１１の上縁部に肩当て毛布１２を縫合し、肩当て毛布１２の端縁１３から本体毛布１１に向けて縦長に切り込み１４を入れて首口１５を形成して成り、その首口１５において左肩当て１６ａの内側縁１７ａと右肩当て１６ｂの内側縁１７ｂが向かい合っている首口付き毛布であり、（ｂ）  本体毛布１１が、片面パイル経編地の非パイル面に起毛処理を施してパイル面のパイル繊維の一部を掻き出した両面パイル布帛であり、（ｃ）  肩当て毛布１２が、片面パイル経編地に成る片面パイル布帛１９、又は、片面パイル経編地の非パイル面に起毛処理を施してパイル面のパイル繊維の一部を掻き出した両面パイル布帛１９に折り目２６を付けて上縁側（２０）の表パイル布帛２２と下縁側（２１）の裏パイル布帛２３とに区分し、その折り目２６を境に二つ折りにして上縁２０と下縁２１を重ね合わせ、その重なり合う表パイル布帛２２と裏パイル布帛２３との間に空隙層２４を形成し、表裏がパイル層２５に覆われた二重両面パイル構造を成し、（ｄ）  その上縁２０と下縁２１が重なり合った肩当て毛布１２の重なり縁２７が、本体毛布１１の上縁に縫合されていることを第１の特徴とする。
【０００８】
本発明に係る首口付き毛布の第２の特徴は、上記第１の特徴に加えて、（ｅ）  肩当て毛布１２の上縁２０と下縁２１が重なり合った重なり縁２７に向かい合っており、折り目２６に沿って構成された端縁１３の外面が、二つ折りになって重なり合う表パイル布帛２２の外面から裏パイル布帛２３の外面へと連続したパイル層２５に覆われており、（ｆ）  首口１５において左右向き合う左肩当ての内側縁１７ａと右肩当ての内側縁１７ｂが、それぞれ表パイル布帛２２のパイル層２５と裏パイル布帛２３のパイル層２５に覆われている点にある。
【０００９】
本発明に係る首口付き毛布の第３の特徴は、上記第１と第２の何れかの特徴に加えて、（ｇ）  首口１５において左右向き合う肩当ての内側縁１７ａ・１７ｂと外側縁１８ａ・１８ｂにおいて、二つ折りにされて重なり合う表パイル布帛２２と裏パイル布帛２３が、その表パイル布帛２２と裏パイル布帛２３に挟まれた空隙層２４に向けて開かれた挿通口２８を形成している点にある（図２−ａ）。
【００１０】
本発明に係る首口付き毛布の第４の特徴は、上記第１と第２の何れかの特徴に加えて、（ｈ）  首口１５において左右向き合う肩当ての内側縁１７ａ・１７ｂと外側縁１８ａ・１８ｂの何れか一方の側縁１７ａ・１７ｂ（１８ａ・１８ｂ）において、二つ折りにされて重なり合う表パイル布帛２２と裏パイル布帛２３がミシン縫目３０（３１）によって縫合されており、その内側縁１７ａ・１７ｂと外側縁１８ａ・１８ｂの何れか他方の側縁１８ａ・１８ｂ（１７ａ・１７ｂ）において、二つ折りにされて重なり合う表パイル布帛２２と裏パイル布帛２３が、その表パイル布帛２２と裏パイル布帛２３に挟まれた空隙層２４に向けて開かれた空洞２９を形成している点にある（図２−ｂ，ｃ）。
【００１１】
本発明に係る首口付き毛布の第５の特徴は、上記第１と第２の何れかの特徴に加えて、（ｉ）  首口１５において左右向き合う肩当ての内側縁１７ａ・１７ｂと外側縁１８ａ・１８ｂにおいて、二つ折りにされて重なり合う表パイル布帛２２と裏パイル布帛２３がミシン縫目３０・３１によって縫合されており、重なり合う表パイル布帛２２と裏パイル布帛２３の間の空隙層２４が、内側縁に沿ったミシン縫目３０と、外側縁に沿ったミシン縫目３１と、表パイル布帛と裏パイル布帛の境目である折り目２６と、本体毛布と肩当て毛布を縫合している重なり縁２７に沿ったミシン縫目とによって四方から囲まれている点にある（図２−ｄ）。
【００１２】
本発明に係る首口付き毛布の第６の特徴は、上記第１、第２、第３、第４および第５の何れかの特徴に加えて、（ｊ）  二つ折りにされて重なり合う表パイル布帛と裏パイル布帛との重なり縁２７において、左右向き合う左肩当て１６ａと右肩当て１６ｂが連続した継ぎ目３２が形成されており、（ｋ）  その左肩当て１６ａと右肩当て１６ｂが連続している継ぎ目３２における首口１５の幅Ｆが、その継ぎ目３２から左右の肩当ての端縁１３・１３に到る間における首口１５の幅Ｇより広くなっている点にある（図１）。
【００１３】
本発明に係る首口付き毛布の第７の特徴は、上記第１、第２、第３、第４、第５および第６の何れかの特徴に加えて、（ｊ）  二つ折りにされて重なり合う表パイル布帛と裏パイル布帛との重なり縁２７において、左右向き合う左肩当て１６ａと右肩当て１６ｂが連続した継ぎ目３２が形成されており、（ｌ）  肩当て毛布の左肩当て１６ａと右肩当て１６ｂとの間の継ぎ目３２が幅寄せされており、本体毛布１１との縫合後における継ぎ目３２の幅が、縫合前における継ぎ目３２の幅Ｆよりも縮小しており、幅寄せによって継ぎ目３２に皺襞３３が形成されている点にある（図１）。
【００１４】
本発明に係る首口付き毛布の第８の特徴は、上記第４、第５、第６および第７の何れかの特徴に加えて、（ｍ）  首口１５において、二つ折りにされて重なり合う表パイル布帛２２と裏パイル布帛２３の間に、パイル布帛に成る当て布３４が挟み込まれており、
重なり合う表パイル布帛２２と裏パイル布帛２３が、その当て布３４を介して首口１５において縫合されており、（ｎ）  首口１５において左右向き合う左肩当ての内側縁１７ａの外面と、右肩当ての内側縁１７ｂの外面が、その当て布３４のパイル層３５によって形成されている点にある（図３）。
【発明の効果】
【００１５】
本発明において、本体毛布１１と肩当て毛布１２とは、共に輪奈状に曲折した地編糸のニットループとシンカーループによって構成される基布からパイル繊維が突き出たパイル経編パイル布帛に成るので、本体毛布１１と肩当て毛布１２の間に触感風合い上の違和感が全くなく、又、使用時に領首に触れる肩当ての内側縁１７ａ・１７ｂと領脚に触れる肩当ての端縁１３がパイル層２５に覆われており、而も、肩当ての表パイル布帛２２と裏パイル布帛２３とは端縁１３で折り返された一枚の経編パイル布帛１９であって端縁１３でパイル層２５が連続しているので、柔らかい感触を与える。
肩当ての端縁１３において表パイル布帛２２と裏パイル布帛２３が連続しているので、それらの間の空隙層２４への外気の出入りがなく、その空隙層２４の保温状態が維持され、又、使用時に左右の肩当て１６ａ・１６ｂを領脚に巻き込むとき、表パイル布帛２２と裏パイル布帛２３が離れ離れになることがなく、肩当て１６を領脚へと巻き込み易い。
【００１６】
そして、本体毛布１１と肩当て毛布１２を合わせた毛布全体の表裏がパイル層２５で覆われており、首口１５の周縁内側縁もパイル層２５で覆われており、重なり縁２７や外側縁１８のように裁断口ではなく、表パイル布帛と裏パイル布帛との間で連続していて切り裂き難いパイル布帛の折り目２６（端縁１３）を切り込んで首口１５を形成しているので、首口１５が不用意に切り裂かれて出来た痕跡であるかの如き悪いイメージを与えず、首口１５が目障りにならず、毛布全体の美観を損なわない。
【００１７】
左右の肩当ての内側縁１７と外側縁１８の双方または片方を表パイル布帛と裏パイル布帛が未縫合の挿通口２８を形成し（図２−ａ）、或いは、未縫合の空洞（図２−ｂ，ｃ）を形成しているものでは、そこから内部空隙層２４へとクッション材や断熱材等の填料を詰め込んで肩当て１２を嵩高にしたり、肩当て１２の保温性を加減し、或いは、就眠中にズレ移動しないように肩当て１６に重みを付与することが出来、又、その詰め込んだ填料を不使用時には挿通口２８や空洞２９から引き出すことが出来、従って、その填料が毛布を洗濯したり保管する場合に邪魔になることがなく、特に、内側縁１７と外側縁１８が未縫合の挿通口２８となっていることからして、その挿通口２８に竿を通して毛布を吊すことも出来、選択後等において乾かし易くなる。
【００１８】
二つ折りにされて重なり合う表パイル布帛と裏パイル布帛との重なり縁２７を、隣り合う左肩当て１６ａと右肩当て１６ｂが連続した継ぎ目３２とし、その継ぎ目３２における首口１５の幅Ｆを、その継ぎ目３２から左右の肩当ての端縁１３・１３に到る間における首口１５の幅Ｇより広くすると、首口１５の奥まった部分３６まで深く首元を覆って使用する場合でも、首口１５から圧迫感を受けることがなく、又、領脚のところで左右の内側縁１７ａ・１７ｂが閉じ合わされる格好になるので肩当て１６の保温効果が高まる。
そして、向かい合う左右の内側縁１７ａ・１７ｂが、端縁１３から継ぎ目３２に到る間の中間部分で向かい合って膨らみ出た左右対称形を成す曲線を描いているので、縦長に切り込んで首口１５を形成して格別堅苦しいイメージを与えない（図１−ｃ，ｄ）。
【００１９】
特に、肩当て毛布の左肩当て１６ａと右肩当て１６ｂとの間の継ぎ目３２を幅寄せし、縫合前における継ぎ目３２の幅Ｆを狭め、継ぎ目３２に幅寄せに応じた皺襞３３を形成したものでは、首口の奥まった部分３６が幅方向（Ｆ・Ｖ・Ｗ）に拡縮可能になり、継ぎ目３２が顎元に密着し易くなり、継ぎ目３２が柔らかくなるので、顎元が左肩当て１６ａと右肩当て１６ｂの間に挟まれているような圧迫感を受けず解放感を受けるようになる（図１−ｃ，ｄ）。
【００２０】
首口１５において、二つ折りにされて重なり合う表パイル布帛２２と裏パイル布帛２３の間に当て布３４を挟み込むと共に、重なり合う表パイル布帛２２と裏パイル布帛２３を当て布３４を介して縫合すると、肩当て１６が厚みを増し、その膨らんだ外観からしても温かく感じさせ、当て布３４によって肩当て１６にデザイン上の変化を与えることが出来る。
【００２１】
このように、本発明によると、保温機能と共に感触・風合いの点でも肌身に馴染み着用し易く、デザイン的にも商品としての体裁を備え、一般市場において需要に応えることの出来る首口付き毛布が得られる。
【発明を実施するための最良の形態】
【００２２】
本体毛布には、片面パイル経編地の非パイル面に起毛処理を施してパイル面のパイル繊維の一部を掻き出したニューマイヤーと称される両面パイル布帛が使用される。
肩当て毛布１２に使用するパイル布帛１９は、そのニューマイヤーでもよいし、ニューマイヤーの原反である片面パイル経編地をそのまま使用することが出来る。
本体毛布１１に肩当て毛布１２を取って付けたかのイメージを与えないようにするためには、そのニューマイヤーの原反である片面パイル経編地を肩当て毛布１２に使用し、肩当て毛布１２の厚みと本体毛布１１の厚みが略同じに揃うようにすることが望ましい。
しかし、そのことは、ニューマイヤーと称される両面パイル布帛を肩当て毛布に使用してはならない、と言うことを意味せず、ニューマイヤーと称される両面パイル布帛に成る本体毛布の上縁部分を折り返し、その折返代によって肩当て毛布を構成することも出来る。
【００２３】
左右の肩当て１６ａ・１６ｂは、別々に裁断された二枚のパイル布帛によって別々に構成することも出来るが、好ましくは、一枚の片面パイル布帛１９を、そのパイル面４２を内向けにし、裏面４３（非パイル面）を外向けにして二つ折にし、その折り畳まれて表パイル布帛２２と裏パイル布帛２３が重なり合った状態において左右の外側縁１８ａ・１８ｂと首口となる左右の内側縁１７ａ・１７ｂに沿って袋状に縫製してから、内側縁１７ａ・１７ｂに沿った左右のミシン縫目３０ａ・３０ｂの間に縦長切り込み１４を入れ、未縫合の重なり縁２７に沿った合わせ口３９からパイル面４２を摘み出して裏面４３とパイル面４２を表裏反転させ、外面に現れるパイル層２５の下にミシン縫目３０・３１が隠れるようにするとよい（図１−ａ，ｂ，ｃ）。
【００２４】
（ｋ）  左肩当て１６ａと右肩当て１６ｂを繋ぐ継ぎ目３２における首口１５の幅Ｆを、その継ぎ目３２から左右の肩当ての端縁１３・１３に到る間における首口１５の幅Ｇより広くする場合には、首口となる中央部分の左右のミシン縫目３０ａ・３０ｂが弓形に膨らんだ曲線を描くように内側縁１７ａ・１７ｂに沿って表パイル布帛２２と裏パイル布帛２３を縫合し、その左右のミシン縫目３０ａ・３０ｂの間に縦長切り込み１４を入れると共に、内側縁１７ａ・１７ｂに沿った左右のミシン縫目３０ａ・３０ｂを繋ぐ継ぎ目部分３２のミシン縫目３７に沿って横長切り込み３８を入れればよい（図１−ｂ）。
【００２５】
肩当て毛布１２と本体毛布１１とは、折り畳まれて重なり合う肩当て毛布１２の表パイル布帛２２と裏パイル布帛２３との重なり縁２７における未縫合の合わせ口３９に本体毛布１１の上縁を差し込んで縫合する。
肩当て毛布の左肩当て１６ａと右肩当て１６ｂを繋ぐ継ぎ目３２を幅寄せし、縫合前の継ぎ目３２の幅Ｆを縮め、継ぎ目３２に皺襞３３を形成する場合には、肩当て毛布１２の縫製前の生地（パイル布帛１９）の幅Ｖを、本体毛布１１の幅Ｗよりも広くしておく（図１−ｂ）。
【００２６】
首口付き毛布の左右の外側縁１８ａ・１８ｂは縁取テープ４０によって、本体毛布１１と肩当て毛布１２を縫合するミシン縫目は仕切テープ４１によって、それぞれ被覆するとよい。縁取テープ４０と仕切テープ４１には、編布、特に、シンカーループが隆起したパイルを形成している経編地（トリコット）を使用するとよい。
シングルサイズの首口付き毛布では、本体毛布１１の幅（Ｗ）を概して１４０ｃｍにし、長さ（Ｌ）を概して２００ｃｍにし、肩当て毛布１２の長さ（Ｄ）を概して３０ｃｍにし、首口１５の長さ（Ｅ）を概して２５〜３０ｃｍにするとよい。
本発明は、ダブルサイズの首口付き毛布にも適用される。
【図面の簡単な説明】
【００２７】
【図１】本発明に係る首口付き毛布の縫製手順を示す斜視図である。
【図２】本発明に係る異なるタイプの首口付き毛布を比較して示す斜視図である。
【図３】本発明に係る首口付き毛布の縫製手順を示す斜視図である。
【符号の説明】
【００２８】
１１：本体毛布
１２：肩当て毛布
１３：端縁
１４：縦長切り込み
１５：首口
１６：肩当て
１７：内側縁
１８：外側縁
１９：パイル布帛
２０：上縁
２１：下縁
２２：表パイル布帛
２３：裏パイル布帛
２４：空隙層
２５：パイル層
２６：折り目
２７：重なり縁
２８：挿通口
２９：空洞
３０：ミシン縫目
３１：ミシン縫目
３２：継ぎ目
３３：皺襞
３４：当て布
３５：パイル層
３６：首口の奥まった部分
３７：ミシン縫目
３８：横長切り込み
３９：合わせ口
４０：縁取テープ
４１：仕切テープ
４２：パイル面
４３：裏面
【図１】
0004650767.tif 000002
【図２】
0004650767.tif 000003
【図３】
0004650767.tif 000004